(57)【要約】【課題】少ない部材でも効果的に雪止めすることによって、屋根面に積もった雪を軒下に一気に落とすことが無く、また、屋根面の多数箇所に対して取り付け処理を必要としない、施工が容易な屋根の雪止め構造を提供する。【解決手段】屋根の軒側に位置し、かつ、屋根の棟方向に沿って設けられた雪止めアングル金物１によって、屋根面Ａに積もった雪Ｙの滑落を防止するようにした屋根の雪止め構造であって、前記雪止めアングル金物１は、屋根の勾配を緩傾斜にするアングル部材２と、このアングル部材２を屋根面に固定するアングル部材固定金物３とから構成されていることを特徴とする屋根の雪止め構造。【選択図】図１
2005256293.tif 000002
【特許請求の範囲】
【請求項１】
屋根の軒側に位置し、かつ、屋根の棟方向に沿って設けられた雪止めアングル金物によって、屋根面に積もった雪の滑落を防止するようにした屋根の雪止め構造であって、
前記雪止めアングル金物は、屋根の勾配を緩傾斜にするアングル部材と、このアングル部材を屋根面に固定するアングル部材固定金物とから構成されていることを特徴とする屋根の雪止め構造。
【請求項２】
請求項１記載の屋根の雪止め構造であって、
前記アングル部材は、屋根面に一縁部が載置されて屋根面の勾配を緩傾斜にする天板部と、この天板部の他縁部から直角に突出して天板部を屋根面上に支持する支持板部とから構成されていることを特徴とする屋根の雪止め構造。
【請求項３】
請求項１記載の屋根の雪止め構造であって、
前記アングル部材固定金物は、屋根面への固定部となる取付板部と、前記アングル部材の端部が挿入されて、このアングル部材を屋根面上に固定する固定部とから構成されていることを特徴とする屋根の雪止め構造。
【請求項４】
請求項１記載の屋根の雪止め構造であって、
前記屋根面の全面に複数の太陽電池パネルが配列され、これら太陽電池パネル上に、雪止めアングル金物が、屋根の棟方向に沿って取り付けられていることを特徴とする屋根の雪止め構造。
【発明の詳細な説明】
【技術分野】
【０００１】
本発明は、屋根の軒側に位置し、かつ、屋根の棟方向に沿って設けられた雪止めアングル金物によって、屋根面に積もった雪の落雪を防止するようにした屋根の雪止め構造に関する。
【背景技術】
【０００２】
雪の降る地方、特に豪雪地帯においては、短時間で大量の降雪があるため、屋根に積もった雪が一気に、そのまま地上へ落ちてしまわないように、屋根面に雪止め部材を設けることが行われている。
【０００３】
この雪止め部材としては、屋根面に据え付ける細長い板状の本体部と、この本体部の一端より上方に突出した雪止め部とで構成されたもの等が知られている。
【０００４】
ところで、近年では、太陽電池パネルの普及に伴って、豪雪地帯においても、太陽電池付き屋根が適用されるようになってきており、また、太陽電池の性能向上等に伴って、屋根面全面に太陽電池パネルを設けることが行われるようになってきているが、このような屋根では、太陽電池パネルで屋根面が葺かれているので、雪止め部材の取り付けが難しいという問題がある。
【０００５】
そこで本出願人は、「太陽電池屋根および太陽電池屋根の雪止め構造」（特許文献１参照）などを提案して、積雪量に対応した必要個数の雪止め部材を、太陽電池屋根に容易に取り付けることができる雪止め構造を提供した。
【特許文献１】特開２００１−２３４６１９号公報
【発明の開示】
【発明が解決しようとする課題】
【０００６】
しかしながら、上記のような雪止め部材は単体では効果が薄く、落雪を防止するように機能させるには、例えば、多数の雪止め部材を屋根面全面に千鳥状に設けたり、また、雪止め部材を太陽電池パネル１枚ごとに備えたり等、多数の雪止め部材を屋根面に密に取り付けなければならなかった。
【０００７】
本発明の課題は、少ない部材でも効果的に雪止めすることによって、屋根面に積もった雪を軒下に一気に落とすことが無く、また、屋根面の多数箇所に対して取り付け処理を必要としない、施工が容易な屋根の雪止め構造を提供することを目的とする。
【課題を解決するための手段】
【０００８】
請求項１記載の発明は、屋根の軒側に位置し、かつ、屋根の棟方向に沿って設けた雪止めアングル金物１によって、屋根面Ａに積もった雪Ｙの滑落を防止するようにした屋根の雪止め構造であって、
前記雪止めアングル金物１は、屋根の勾配を緩傾斜にするアングル部材２と、このアングル部材２を屋根面に固定するアングル部材固定金物３とから構成することを前記課題の解決手段とした。
【０００９】
請求項１記載の発明によれば、屋根の棟方向に沿ってアングル部材固定金物３を取り付け、このアングル部材固定金物３にアングル部材２を架け渡し、このアングル部材２を屋根の軒側に位置させつつ、屋根の棟方向に沿って固定すると、屋根面Ａ上の軒側に、屋根の傾斜よりも緩傾斜な傾斜部が形成される。これによって、屋根面Ａに積もった雪Ｙは屋根の傾斜部に沿って落ちようとしても、軒側での傾斜部となったアングル部材２によって支えられる形態となって、落雪が防止される。
また、雪止めアングル金物１が屋根の軒側に位置していることにより、アングル部材２よりも軒側に突出した一部分の雪Ｙだけが、その重みで軒下に落ちるため、屋根上の雪Ｙが一気に落ちることが無い。
【００１０】
請求項２記載の発明では、前記アングル部材２を、屋根面Ａに一縁部２ｃを載置して屋根面の勾配を緩傾斜にする天板部２ａと、この天板部２ａの他縁部２ｄから直角に突出して天板部２ａを屋根面Ａ上に支持する支持板部２ｂとから構成していることを前記課題の解決手段とした。
【００１１】
請求項２記載の発明によれば、天板部２ａの一縁部２ｃを屋根面Ａに載置して、この天板部２ａの他縁部２ｄを支持板部２ｂによって支持することによって、屋根面Ａの勾配が天板部２ａの位置で緩傾斜になる。
また、天板部２ａを支持板部２ｂで支持するので、天板部２ａの他縁部２ｄと屋根面Ａとの間に高低差が生じ、天板部２ａより迫り出した雪だけが、その重みで落雪する。
【００１２】
請求項３記載の発明では、前記アングル部材固定金物３を、屋根面Ａへの固定部分となる取付板部３ａと、前記アングル部材２の端部を挿入して、このアングル部材２を屋根面Ａ上に固定する固定部３ｂとから構成していることを前記課題の解決手段とした。
【００１３】
請求項３記載の発明によれば、アングル部材固定金物３の取付板部３ａを屋根面Ａに取り付けて、このアングル部材固定金物３の固定部３ｂにアングル部材２の端部を挿入して固定することで、屋根面Ａに雪止めアングル金物１を取り付けることができる。
したがって、屋根面Ａに対しては、アングル部材固定金物３だけの取り付けで、雪止め構造を構成でき、屋根上での施工を容易にすることができる。
【００１４】
なお、本発明において、屋根面Ａの全面に複数の太陽電池パネルＰを配列し、これら太陽電池パネルＰ上に、雪止めアングル金物１を、屋根の棟方向に沿って取り付けるようにすれば、太陽電池パネルで葺かれた屋根構造へも容易に適用できるので好ましい。
【発明の効果】
【００１５】
請求項１記載の発明によれば、屋根面Ａに積もった雪Ｙが、自身の重さで屋根面Ａに沿って落雪しようとしても、雪止めアングル金物２の部分に雪Ｙが載り、滑落速度が低下し、雪止めアングル金物１よりも軒側に突出した雪Ｙだけが落雪するので、大量の雪が軒下に一気に落ちることが無い。
また、雪止めアングル金物１は、アングル部材２と、アングル部材固定金物３より構成され、屋根面Ａへの固定はアングル部材固定金物３によって行うため、屋根面Ａの多数箇所に対して取り付け処理をする必要が無く、容易に施工することができる。
【００１６】
請求項２記載の発明によれば、屋根面Ａの勾配が天板部２ａの位置で緩傾斜になるので、屋根面Ａを滑落する雪Ｙの滑落速度を低減させることができ、また、天板部２ａの他縁部２ｄと屋根面Ａとの間に生じた高低差によって、この天板部２ａの他縁部２ｄよりも軒側に突出した一部分の雪Ｙだけを軒下に落とすことができるので、屋根面Ａに積もった雪Ｙを軒下に一気に落とすことが無い。
【００１７】
請求項３記載の発明によれば、屋根面Ａと雪止めアングル金物１との接合部分を、アングル部材固定金物３の取付板部３ａのみとすることで、屋根面の多数箇所に対して取り付け処理をする必要が無く、容易に施工することができる。
また、このアングル部材固定金物３の固定部３ｂに、アングル部材２の端部を挿入して固定することができるので、少ない部材でも効果的に雪止めすることができる。
【００１８】
請求項４記載の発明によれば、複数の太陽電池パネルＰを屋根面全面に配列した場合であっても、本発明の屋根の雪止め構造を適用させることができ、かつ、同様の効果をもたらすことができる。
【発明を実施するための最良の形態】
【００１９】
以下、図面を参照して本発明に係る屋根の雪止め構造の実施の形態について説明する。
【００２０】
この屋根の雪止め構造に用いられる雪止めアングル金物１は、屋根の勾配を緩傾斜にするアングル部材２と、このアングル部材２を屋根面Ａに固定するアングル部材固定金物３とから構成されている。
そして、この雪止めアングル金物１は、図１に示すように、並設された複数のアングル部材固定金物３間にアングル部材２の端部が架け渡され、屋根の軒側に位置するとともに、屋根の棟方向に沿って設けられている。
【００２１】
前記アングル部材２は、鋼製のＬ型鋼よりなり、図１および図２に示すように、屋根面Ａに一縁部２ｃが載置されて屋根面の勾配を緩傾斜にする天板部２ａと、この天板部２ａの他縁部２ｄから直角に突出して天板部２ａを屋根面Ａ上に支持する支持板部２ｂとから構成されている。
【００２２】
前記天板部２ａは、前記支持板部２ｂよりも長寸の板幅に形成されており、また、前記支持板部２ｂには、両端近傍にボルト孔７が形成されて、前記アングル部材固定金物３と固定できるように形成されている。
なお、このボルト孔７に位置する支持板部２ｂの内面には、図３および図４に示すように、あらかじめナット７ａが、このナット７ａの孔を前記ボルト孔７に合致させて取り付けられており、アングル部材固定金物３と固定する際に、容易に固定できるように構成されている。
【００２３】
前記アングル部材固定金物３は、鋼製で、矩形の板材を加工してなり、図３および図４に示すように、屋根面Ａへの固定部分となる取付板部３ａと、前記アングル部材２の端部が挿入されて、このアングル部材２を屋根面Ａ上に固定する固定部３ｂとから構成されている。
【００２４】
前記取付板部３ａには、この取付板部３ａの中心線上に３つのビス孔１０が間隔をあけて形成されている。
【００２５】
前記固定部３ｂは、屋根面の勾配を緩傾斜にする角度に設定された天面板部６ａと、この天面板部６ａの軒側端縁から直角に突出して天面板部６ａを屋根面Ａ上に支持する前面板部６ｂと、この天面板部６ａと前面板部６ｂとを支持する固定板部６ｃとにより略三角形状に形成し、この三角形の内側に前記アングル部材２を挿入固定する略三角形状の差込孔部６が形成されている。
なお、これら天面板部６ａと、前面板部６ｂと、固定板部６ｃとは、矩形の板材の先端部を略三角形状に折曲して固定部３ｂを構成したものであり、また、この固定部３ｂと前記取付板部３ａとは、矩形の板材を折曲して一体に形成したものである。
【００２６】
前記天面板部６ａの大きさは、前記アングル部材２の天板部２ａよりも大きく形成され、また前面板部６ｂの大きさは、前記アングル部材２の支持板部２ｂよりも大きく形成されて、前記アングル部材２を差込孔部６の内のり一杯の大きさで差し込むことができるように形成されている。
さらに、前記前面板部６ｂの両端近傍には、前記アングル部材２のボルト孔７と対応するボルト孔８が形成されており、差込孔部６にアングル部材２を差し込んだ際に、ボルト孔７とボルト孔８の位置が合うように形成されている。
【００２７】
上記のような構成の雪止めアングル金物１を屋根面Ａに取り付けるには、まず、前記アングル部材固定金物３を、屋根の軒側に位置させつつ、屋根の棟方向に沿って直線状に取り付ける。
この時、図３に示すように、固定部３ｂは取付板部３ａよりも軒側に位置するようにして、取付板部３ａと屋根面Ａとをビス１１等で取り付ける。
【００２８】
次に、アングル部材２の端部を、図４に示すように、固定部３ｂの差込孔部６に挿入する。この際、アングル部材２の支持板部２ｂの大きさが、アングル部材固定金物３の前面板部６ｂの内部と略同様の大きさで形成されているので、容易に位置合わせでき、アングル部材２とアングル部材固定金物３の組み付けが円滑に行われるようになっている。
【００２９】
そして、アングル部材２の支持板部２ｂに設けたボルト孔７およびナット７ａと、固定部３ｂの前面板部６ｂに設けたボルト孔８に、ボルト９を挿通させてボルト止めして、アングル部材２とアングル部材固定金物３とを組み合わせる。
【００３０】
以上のような屋根の雪止め構造を屋根面Ａに設けた場合、図５に示すように、滑落する雪Ｙを、緩傾斜状にした前記天板部２ａで一旦受け止めて、雪Ｙの滑落速度を低減させることができる。
【００３１】
そして、天板部２ａ上で滑落速度が低減した雪Ｙは、自身の重みで、次第に天板部２ａの他縁部２ｄよりも軒側に突出していく。
【００３２】
しかして、この他縁部２ｄよりも軒側に突出した雪は、自身の重みに耐えられなくなった時点で、他縁部２ｄを支点に折れて、軒下に落下していく。
この時、あらかじめ雪Ｙの滑落速度が低減されている状態となっているため、雪Ｙの滑落飛距離は低減し、また、一度に落ちる雪の量も減らすことができる。
【００３３】
本実施の形態のような、屋根の雪止め構造を採用することで、少ない部材でも効果的に雪止めすることができて、屋根面Ａに積もった雪を軒下に一気に落とすことが無い。
また、屋根面Ａの多数箇所に対して取り付け処理を必要としないので、容易に施工することができる。
【００３４】
なお、本実施の形態の屋根は切妻屋根であるが、この切妻屋根に限られず、屋根面Ａ上に積もった雪Ｙが滑落できる勾配を有した屋根であれば、入母屋屋根や寄棟屋根など他の形状の屋根でも良い。
【実施例】
【００３５】
また、図６は、雪が滑落でき得る勾配を有した太陽電池付き屋根に、雪止めアングル金物１を取り付けた一実施例を示すものである。
【００３６】
屋根面Ｂ全面には複数の太陽電池パネルＰが配列され、これら太陽電池パネルＰを挟持するパネル挟持部材１２上に前記アングル部材固定金物３が取り付けられている。
そして、このアングル部材固定金物３にアングル部材２が架け渡されて、太陽電池パネルＰ上に雪止め構造が形成されている。
【００３７】
なお、前記太陽電池パネルＰおよびパネル挟持部材１２は、支持レール１３を介して屋根面Ｂに取り付けられ、雪の荷重に耐え得る構造となっている。
【００３８】
このように複数の太陽電池パネルＰを屋根面Ｂ全面に配列した構造の太陽電池付き屋根においても、図６に示すように、本発明の屋根の雪止め構造を適用させることができ、かつ、同様の効果をもたらすことができる。
【００３９】
なお、本実施例では、上記のような太陽電池付き屋根を用いたが、この太陽電池付き屋根に限られず、屋根面上に積もった雪Ｙが滑落できる勾配を有した構造の太陽電池付き屋根であれば、この雪止め構造を適用できることは言うまでもない。
【図面の簡単な説明】
【００４０】
【図１】雪止めアングル金物の設置状態を示す斜視図である。
【図２】アングル部材を示す斜視図である。
【図３】アングル部材固定金物およびアングル部材とアングル部材固定金物との組み合わせ構造を示す側面図である。
【図４】アングル部材固定金物およびアングル部材とアングル部材固定金物との組み合わせ構造を示す平面図である。
【図５】滑落する雪の滑落速度の低減および雪が折れた状態を示す側面図である。
【図６】太陽電池パネルに雪止めアングル金物を設置した状態を示す斜視図である。
【符号の説明】
【００４１】
１  雪止めアングル金物
２  アングル部材
２ａ  天板部
２ｂ  支持板部
３  アングル部材固定金物
３ａ  取付板部
３ｂ  固定部
４  一縁部
５  他縁部
６  差込孔部
１２  パネル挟持部材
Ａ、Ｂ  屋根面
Ｐ  太陽電池パネル
Ｙ  雪
【図１】
2005256293.tif 000003
【図２】
2005256293.tif 000004
【図３】
2005256293.tif 000005
【図４】
2005256293.tif 000006
【図５】
2005256293.tif 000007
【図６】
2005256293.tif 000008